(57)【要約】      （修正有）【課題】ウイルス、細菌、花粉、粉塵の吸い込みが抑制され、また、保菌者が咳と共にウイルスや細菌を飛散するのを抑制できるマスクを提供する。【解決手段】マスク本体１の上縁部が少なくとも２枚重ねとなっており、その左右両側のいずれか一方が外側に折り返され、もう一方が内側に折り返されており、マスク本体１上縁部の中央部分に、ねじれ３が形成されている。マスクＭを着用した場合において、マスク本体１が左右両側方に引っ張られたとき、マスク本体１の上縁部付近であってねじれ３部分のやや下方における左右両側部分が引っ張られるので、その部分が着用者Ｗの鼻柱背ｗ１から頬ｗ２にかけての部位に密着するとともに、ねじれ３部分が着用者Ｗの鼻柱背ｗ１付近をすっぽりと覆う。【選択図】図３
0003227579.tif 000002
【実用新案登録請求の範囲】
【請求項１】
マスク本体上縁部の中央部分にねじれが形成されていることを特徴とするマスク。
【請求項２】
マスク本体上縁部が少なくとも２枚重ねとなっており、その左右両側のいずれか一方が外側に折り返され、もう一方が内側に折り返されており、２枚重ねの中央部分に前記ねじれが形成されていることを特徴とする請求項１記載のマスク。
【請求項３】
マスク本体上縁部の左右両端部より内側のところであって、マスク着用者の両頬の頬骨付近に対面・当接することができる定着部を左右２つ形成したことを特徴とする請求項１または２記載のマスク。
【請求項４】
マスク本体下縁部の中央部分に、ねじれが形成されていることを特徴とする請求項１記載のマスク。
【請求項５】
マスク本体下縁部が少なくとも２枚重ねとなっており、その左右両側のいずれか一方が外側に折り返され、もう一方が内側に折り返されており、２枚重ねの中央部分に前記ねじれが形成されていることを特徴とする請求項４記載のマスク。
【請求項６】
マスク本体下縁部の左右両端部より内側のところであって、マスク着用者の顎両側の顎骨付近に対面・当接することができる定着部を左右２つ形成したことを特徴とする請求項４または５記載のマスク。
【考案の詳細な説明】
【技術分野】
【０００１】
本考案は、ウイルス、細菌、花粉、粉塵の吸い込みを抑制し、あるいは、保菌者が咳と共にウイルスや細菌を飛散させることを抑制する目的で使用するマスクに関する。
【背景技術】
【０００２】
このようなマスクとして、鼻掛け部の上縁と両側縁をマスク本体の上縁と両側縁に固定し、鼻掛け部の下縁は固定せず、折り返して鼻にかかるようにしたものがある(例えば、特許文献１、特許文献２参照)。
【０００３】
また、マスク着用時において着用者の鼻の形にフィットさせるべく、マスク本体の上端部に帯状の弾性材料からなる部材を埋包したものもある(例えば、特許文献３)。
【先行技術文献】
【特許文献】
【０００４】
【特許文献１】特開２００１−１６１８４３号公報
【０００５】
【特許文献２】実用新案登録第３１８８５５２号公報
【０００６】
【特許文献３】実用新案登録第３１０８８８０号公報
【考案の概要】
【考案が解決しようとする課題】
【０００７】
しかしながら、特許文献１、特許文献２に開示されたマスクでは、マスク着用時においてマスク本体と着用者の顔面との間に隙間が生じやすく、この隙間からウイルス、細菌、花粉、粉塵が吸い込まれ、あるいは、保菌者が咳と共にウイルスや細菌を飛散させる可能性が高い。
【０００８】
一方、特許文献３に開示されたマスクでは、帯状の弾性材料からなる部材を必要とするため、コストが高くなるのみならず、この部材をマスク内に埋包する作業を要するので、マスクの製造に手間がかかる。
【０００９】
上記、従来技術の欠点に鑑み、本考案は、極めて簡単な手法により極めて簡単に、ウイルス、細菌、花粉、粉塵の吸い込みを抑制し、あるいは、保菌者が咳と共にウイルスや細菌を飛散させることを抑制することができるマスクを安価に提供することを目的とするものである。
【課題を解決するための手段】
【００１０】
上記目的を達成するため、請求項１記載の本考案のマスクは、マスク本体上縁部の中央部分にねじれが形成されていることを特徴とするものである。
【００１１】
この場合において、マスク本体上縁部が少なくとも２枚重ねとなっており、その左右両側のいずれか一方が外側に折り返され、もう一方が内側に折り返されており、２枚重ねの中央部分に前記ねじれが形成されているものとすることが好ましい。
【００１２】
上記いずれかの場合において、マスク本体上縁部の左右両端部より内側のところであって、マスク着用者の両頬の頬骨付近に対面・当接することができる定着部を左右２つ形成することが望ましい。
【００１３】
一方、請求項４記載の本考案のマスクは、マスク本体下縁部の中央部分にねじれが形成されていることを特徴とするものである。
【００１４】
この場合において、マスク本体下縁部が少なくとも２枚重ねとなっており、その左右両側のいずれか一方が外側に折り返され、もう一方が内側に折り返されており、２枚重ねの中央部分に前記ねじれが形成されているものとすることが好ましい。
【００１５】
上記いずれかの場合において、マスク本体下縁部の左右両端部より内側のところであって、マスク着用者の顎両側の顎骨付近に対面・当接することができる定着部を左右２つ形成することが望ましい。
【考案の効果】
【００１６】
請求項１記載の考案によれば、マスク本体上縁部にねじれが形成されているので、このマスクを着用した場合において、マスク本体が左右両側方に引っ張られたとき、マスク本体上縁部付近であって前記ねじれ部分のやや下方における左右両側部分が引っ張られるので、その部分が着用者の鼻柱から頬にかけての部位に密着するとともに、前記ねじれ部分が着用者の鼻柱付近をすっぽりと覆うことになる。その結果、マスク着用時において、当該部分からのウイルス、細菌、花粉、粉塵の吸い込みが抑制され、あるいは、保菌者が咳と共にウイルスや細菌を飛散させることを抑制することができるマスクを、極めて簡単な手法により極めて簡単かつ安価に提供することができるという効果を有する。
【００１７】
請求項２記載の考案によれば、マスク本体上縁部が少なくとも２枚重ねとなっており、しかも、２枚重ねの中央部分に前記ねじれが形成されているので、このマスクを着用した場合には、マスク本体上縁部における２枚重ねの部分が上方に伸ばされるとともに、前記ねじれ部分も引き上げられることになる。この結果、マスク着用時において、着用者の鼻柱から頬にかけての部位や左右両頬がすっぽりと覆われ、当該部分からのウイルス、細菌、花粉、粉塵の吸い込みがより一層抑制され、あるいは、保菌者が咳と共にウイルスや細菌を飛散させることをより一層抑制することができるマスクを、極めて簡単な手法により極めて簡単かつ安価に提供することができるという効果を有する。
【００１８】
請求項３記載の考案によれば、マスク本体上縁部の左右両側端部より少し内側のところに位置する左右２つの定着部が着用者の両頬の頬骨付近に対面・当接し、その部位に密着するとともに、前記ねじれ部分が着用者の鼻柱付近をすっぽりと覆うので、当該部分からのウイルス、細菌、花粉、粉塵の吸い込みがさらに抑制され、あるいは、保菌者が咳と共にウイルスや細菌を飛散させることをさらに抑制することができるマスクを、極めて簡単な手法により極めて簡単かつ安価に提供することができるという効果を有する。
【００１９】
請求項４記載の考案によれば、マスク本体下縁部にねじれが形成されているので、このマスクを着用した場合において、マスク本体が左右両側方に引っ張られたとき、マスク本体下縁部付近であって前記ねじれ部分のやや上方における左右両側部分が引っ張られるので、その部分が着用者の顎の両側にかけての部位に密着するとともに、前記ねじれ部分が着用者の下顎付近をすっぽりと覆うことになる。その結果、マスク着用時において、当該部分からのウイルス、細菌、花粉、粉塵の吸い込みが抑制され、あるいは、保菌者が咳と共にウイルスや細菌を飛散させることを抑制することができるマスクを、極めて簡単な手法により極めて簡単かつ安価に提供することができるという効果を有する。
【００２０】
請求項５記載の考案によれば、マスク本体下縁部が少なくとも２枚重ねとなっており、しかも、２枚重ねの中央部分に前記ねじれが形成されているので、このマスクを着用した場合には、マスク本体下縁部における２枚重ねの部分が下方に伸ばされるとともに、前記ねじれ部分も引き下げられることになる。この結果、マスク着用時において、着用者の顎や下顎付近がすっぽりと覆われ、当該部分からのウイルス、細菌、花粉、粉塵の吸い込みがより一層抑制され、あるいは、保菌者が咳と共にウイルスや細菌を飛散させることをより一層抑制することができるマスクを、極めて簡単な手法により極めて簡単かつ安価に提供することができるという効果を有する。
【００２１】
請求項６記載の考案によれば、マスク本体下縁部の左右両側端部より少し内側のところに位置する左右２つの定着部が着用者の顎両側の顎骨付近に対面・当接し、その部位に密着するので、当該部分からのウイルス、細菌、花粉、粉塵の吸い込みがさらに抑制され、あるいは、保菌者が咳と共にウイルスや細菌を飛散させることをさらに抑制することができるマスクを、極めて簡単な手法により極めて簡単かつ安価に提供することができるという効果を有する。
【図面の簡単な説明】
【００２２】
【図１】本考案に係るマスクの実施形態のうちの最も基本的な一例を示すもので、着用者の顔面に対面・当接する側からマスクを見た概略図である。
【図２】図１に示すマスクの着用時において、マスクが左右両側方に引っ張られることによりマスク本体の一部が引っ張られることを示す概略図である。
【図３】図１に示すマスクを着用した状態を、マスクの外面側から見た概略斜視図である。
【図４】本考案に係るマスクの別の実施形態の一例を示すもので、着用者の顔面に対面・当接する側からマスクを見た概略図である。
【図５】図４に示すマスクの着用時において、マスクが左右両側方に引っ張られることによりマスク本体の一部が引っ張られることを示す概略図である。
【図６】図４に示すマスクの上縁部が少なくとも２枚重ねとなっていることを示す図４のVI−VI線拡大断面図である。
【図７】図４に示すマスクを着用した状態を、マスクの外面側から見た概略斜視図である。
【考案を実施するための形態】
【００２３】
本考案の実施形態の一例を、図面に基づいて詳細に説明する。図１は、本考案に係るマスクの実施形態のうちの最も基本的な一例を示す概略図で、着用者Ｗの顔面ｗ５に対面・当接する側から見た状態を示す。なお、本明細書において、マスク本体１の内側、内面とは、着用者Ｗの顔面ｗ５に対面・当接する側をいい、マスク本体１の外側、外面とは、着用者Ｗの顔面ｗ５に対面・当接しない反対側をいうものとする。
【００２４】
マスク本体１が布、布帛あるいはガーゼからなる場合について説明すると、本考案によれば、少なくともマスク本体１の上縁部に特別の工夫・改良が施されている。すなわち、図１に示すように、マスク本体１上縁部が符号１ａで示すように一定幅内側に折り曲げられ、その左右両側のいずれか一方が外側に折り返され、もう一方が内側に折り返されており、マスク本体１上縁部の中央部分に、ねじれ３が形成されている。なお、マスク本体１上縁部の中央部分にねじれ３が形成されている点が、本考案の要旨の１つと言うべきところである。
【００２５】
マスク本体１上縁部の中央部分にねじれ３が形成されているので、このマスクＭを着用した場合において、マスク本体１が図２の矢印で示すように左右両側方に引っ張られたとき、前記ねじれ３部分のやや下方における左右両側部分が引っ張られて図２の一点鎖線で示す部位１ｄがへこみ、マスクＭ着用時、図３に示すように、前記へこみ１ｄ部分が着用者Ｗの鼻柱ｗ１から頬ｗ２にかけての部位に密着するとともに、前記ねじれ３部分が着用者の鼻柱ｗ１付近をすっぽりと覆うことになる。その結果、当該部分からのウイルス、細菌、花粉、粉塵の吸い込みが抑制され、あるいは、保菌者が咳と共にウイルスや細菌を飛散させることを抑制することができる。
【００２６】
図１に示すマスクＭにあっては、マスク本体１上縁部が図面符号２ａで示すように一定幅内側に折り曲げられ、内外２枚の生地が重なり合う部分の右側端部がマスク本体１の内側に折り曲げられてマスク本体１の内面側端部に、ミシン糸により定着され、また、内外２枚の生地が重なり合う部分の左側端部がマスク本体１の外側に折り曲げられてマスク本体１の外面側端部に、ミシン糸により定着されている。
【００２７】
一方、図４は、本考案に係るマスクの別の実施形態の一例を示す概略図である。図４に示すマスクＭ’は、図６に示すように、マスク本体１の上縁部が少なくとも２枚重ねとなっており、２枚重ねの生地１ｃのうち内側に位置する生地１ａの上縁部を一定幅内側に折り返すことで、帯状の折り曲げ部２ａが形成されている。また、２枚重ねの生地１ｃのうち外側に位置する生地１ｂについては、マスク本体１の外側に位置する生地の上縁部を内側に折り重ねることで、マスク本体１の外側に位置する生地の上縁部２ｂと２枚重ねとなっている。
【００２８】
マスク本体１のこの上縁部の重ね合わせ状態をさらに詳しく説明すると、マスク本体１の上縁部の２枚重ねの生地１ｃのうち、内側に位置する生地１ａの上縁部を内側に折り返すことで形成される帯状の折り曲げ部２ａ部分と、マスク本体１の外側に位置する生地の上縁部を内側に折り重ねることで形成されるマスク本体１の外側の生地の上縁部２ｂ部分では、内外２枚ずつ、合計４枚の生地が重なり合う状態となっている。なお、折り曲げ部２ａと内側に位置する生地１ａとは、また、マスク本体１の外側の生地の上縁部２ｂと外側に位置する生地１ｂとは、それぞれミシン糸により定着されている。
【００２９】
そして、内外２枚ずつ、合計４枚の生地が重なり合う部分の左右両側のいずれか一方が外側に折り返され、もう一方が内側に折り返されており、かくして、マスク本体１上縁部の中央部分において重なり合う合計４枚の生地２ａ、１ａ、１ｂ、２ｂ部分に、ねじれ３が形成されることになる。
図４においては、内外２枚ずつ、合計４枚の生地が重なり合う部分の右側端部がマスク本体１の外側に折り曲げられてマスク本体１の外面側端部に、ミシン糸により定着され、また、内外２枚ずつ、合計４枚の生地が重なり合う部分の左側端部がマスク本体１の内側に折り曲げられてマスク本体１の内面側端部に、ミシン糸により定着されている。
【００３０】
さらに、図１に例示するマスクＭにおいては、マスク本体１の左右両側端部より少し内側のところであって、図１において図面符号４、４で示すように、内外２枚の生地が重なり合う部分をさらにマスク本体１に定着するための定着部が左右に２つ形成されている。
また、図４に例示するマスクＭ’においては、マスク本体１の左右両側端部より少し内側のところであって、図４において同じ図面符号４、４で示すように、内外２枚ずつ、合計４枚の生地が重なり合う部分をさらにマスク本体１に定着するための定着部が左右に２つ形成されている。
これら左右２つの定着部４、４は、ミシン糸でマスク本体１に逢着することによって形成されており、両定着部４、４の間隔としては、着用者Ｗが本マスクＭ、Ｍ’を着用した場合の着用者Ｗの両頬ｗ２、ｗ２の頬骨ｗ３、ｗ３付近に両定着部４、４が来るような間隔とすることが好ましい。
【００３１】
図１に例示するマスクＭにあっては、マスク本体１上縁部の中央部分にねじれ３が形成されているので、このマスクＭを着用した場合において、マスク本体１が左右両側方に引っ張られたとき、マスク本体１上縁部付近であって前記ねじれ３部分のやや下方における左右両側部分が引っ張られるので、図２において鎖線と図面符号１ｄで示すように、前記ねじれ３部分の両側方が引っ張られてその部分がへこみ、着用者Ｗの鼻柱ｗ１から頬ｗ２にかけての部位に密着するとともに、前記ねじれ３部分が立ち上げられて着用者Ｗの鼻柱ｗ１付近をすっぽりと覆うことになる。その結果、マスクＭ着用時において、当該部分からのウイルス、細菌、花粉、粉塵の吸い込みが抑制され、あるいは、保菌者が咳と共にウイルスや細菌を飛散させることを抑制することができる。
【００３２】
また、図４に例示するマスクＭ’にあっては、マスク本体１の上縁部が少なくとも２枚重ねとなっており、上に例示した場合にあっては、帯状の折り曲げ部２ａとマスク本体１の外側に位置する生地の上縁部を内側に折り重ねることで形成されるマスク本体１の外側の生地の上縁部２ｂ部分では、内外２枚ずつ、合計４枚の生地が重なり合っており、しかも、マスク本体１上縁部の中央部分にねじれ３が形成されているので、このマスクＭ’を着用した場合には、図５において鎖線と図面符号１ｄで示すように、前記ねじれ３部分の両側方が引っ張られてその付近がへこみ、着用者Ｗの鼻柱ｗ１から頬ｗ２にかけての部位に密着するとともに、前記ねじれ３部分が立ち上げられることになる。
その結果、マスクＭ’着用時において、当該部分からのウイルス、細菌、花粉、粉塵の吸い込みが抑制され、あるいは、保菌者が咳と共にウイルスや細菌を飛散させることを抑制することができる。
【００３３】
一方、着用者Ｗが本マスクＭあるいはＭ’を着用した場合において、マスク本体１の左右両側端部より少し内側のところに位置する左右２つの定着部４、４が着用者Ｗの両頬ｗ２、ｗ２の頬骨ｗ３、ｗ３付近に対面・当接し、その部位に密着するので、当該部分からのウイルス、細菌、花粉、粉塵の吸い込みがより一層抑制され、あるいは、保菌者が咳と共にウイルスや細菌を飛散させることをより一層抑制することができる。
【００３４】
図１においては、マスク本体１上縁部が符号１ａで示すように一定幅内側に折り曲げられ、内外２枚の生地が重なり合う部分の右側端部がマスク本体１の内側に折り曲げられてマスク本体１の内面側端部に、ミシン糸により定着され、また、内外２枚の生地が重なり合う部分の左側端部がマスク本体１の外側に折り曲げられてマスク本体１の外面側端部に、ミシン糸により定着されている場合を例示し、また、図４においては、内外２枚ずつ、合計４枚の生地が重なり合う部分の右側端部が４枚重ねの状態でマスク本体１の外側に折り曲げられてマスク本体１の外面側端部に定着され、内外２枚ずつ、合計４枚の生地が重なり合う部分の左側端部が４枚重ねの状態でマスク本体１の内側に折り曲げられてマスク本体１の内面側端部に定着されている場合を例示したが、これらと逆の定着状態としても良い。
【００３５】
すなわち、図示は省略するが、図１に示すマスクＭにあっては、内外２枚の生地が重なり合う部分の右側端部がマスク本体１の外側に折り曲げられてマスク本体１の外面側端部に、また、内外２枚の生地が重なり合う部分の左側端部がマスク本体１の内側に折り曲げられてマスク本体１の内面側端部に定着されても良い。
また、図４に示すマスクＭ’にあっては、内外２枚ずつ、合計４枚の生地が重なり合う部分の右側端部が４枚重ねの状態でマスク本体１の内側に折り曲げられてマスク本体１の内面側端部に定着され、内外２枚ずつ、合計４枚の生地が重なり合う部分の左側端部が４枚重ねの状態でマスク本体１の外側に折り曲げられてマスク本体１の外面側端部に定着されても良い。
これらの場合においても、先程説明した場合の右側と左側の向きが異なるだけで、上記と同様の効果を発揮することができる。
【００３６】
ここに例示するマスクＭ、Ｍ’にあっては、マスク本体１の上端部のみならず、その下端部においても上端部において説明した場合と同様の特別の工夫・改良が施されている。すなわち、図１に示すマスクＭにあっては、マスク本体１下縁部が一定幅内側に折り曲げられ、内外２枚の生地が重なり合う部分の右側端部がマスク本体１の外側に折り曲げられてマスク本体１の外面側端部に、ミシン糸により定着され、また、内外２枚の生地が重なり合う部分の左側端部がマスク本体１の内側に折り曲げられてマスク本体１の内面側端部に、ミシン糸により定着されており、マスク本体１下縁部の中央部分にねじれ３が形成されている。したがって、このマスクＭを着用した場合において、マスク本体１が左右両側に引っ張られたとき、図２において鎖線と図面符号１ｄで示すように、マスク本体１の下縁部付近であって、前記ねじれ３部分のやや上方における左右両側部分が引っ張られてその部分がへこみ、着用者Ｗの顎の左右両側のくぼみに密着するとともに、前記ねじれ３部分が引き下げられることになる。その結果、当該部分からのウイルス、細菌、花粉、粉塵の吸い込みが抑制され、あるいは、保菌者が咳と共にウイルスや細菌を飛散させることを抑制することができる。
なお、マスク本体１下縁部の中央部分にねじれ３が形成されている点も、本考案の要旨の１つというべきところである。
【００３７】
また、図４に示すマスクＭ’にあっては、マスク本体１の下縁部が少なくとも２枚重ねとなっており、帯状の折り曲げ部とマスク本体１の外側に位置する生地の下縁部を内側に折り重ねることで形成されるマスク本体１の外側の生地の下縁部では、内外２枚ずつ、合計４枚の生地が重なり合っており、しかも、マスク本体１下縁部の中央部分にねじれ３が形成されている。したがって、このマスクＭ’を着用した場合において、図５において鎖線と図面符号１ｄで示すように、前記ねじれ３部分の両側方が引っ張られてその部分がへこみ、着用者Ｗの顎の左右両側のくぼみに密着するとともに、前記ねじれ３部分が引き下げられ、着用者Ｗの下顎ｗ４付近をすっぽりと覆うことになる。その結果、当該部分からのウイルス、細菌、花粉、粉塵の吸い込みが抑制され、あるいは、保菌者が咳と共にウイルスや細菌を飛散させることを抑制することができる。
【００３８】
さらに、図１に示すマスクＭ、図４に示すマスクＭ’ともマスク本体１の下縁部において、上縁部の場合の定着部４，４と全く同様に定着部５、５が形成されている。これら左右２つの定着部５、５は、ミシン糸でマスク本体１に逢着することによって形成されており、両定着部５、５の間隔としては、着用者Ｗが本マスクＭ、Ｍ’を着用した場合の着用者Ｗの両頬ｗ２、ｗ２の頬骨ｗ３、ｗ３付近に両定着部５、５が来るような間隔とすることが好ましい。着用者Ｗが本マスクＭあるいはＭ’を着用した場合において、マスク本体１下縁部の左右両側端部より少し内側のところに位置する左右２つの定着部５，５が着用者Ｗの顎ｗ６両側の顎骨ｗ７、ｗ７付近に対面・当接し、その部位に密着するとともに、着用者Ｗの下顎ｗ４付近をすっぽりと覆うので、当該部分からのウイルス、細菌、花粉、粉塵の吸い込みがさらに抑制され、あるいは、保菌者が咳と共にウイルスや細菌を飛散させることをさらに抑制することができる。
【００３９】
上記の場合において、マスク本体１の上縁部とマスク本体１の下縁部における生地が重なり合う部分の左右両側端部の定着状態、ならびに、マスク本体１の上縁部とマスク本体１の下縁部における内外２枚ずつ、合計４枚の生地が重なり合う部分の左右両側端部の定着状態は、マスク本体１の対角線状において対称的なものとしてあるが、上下のみ対称としても良い。この場合においても、上記と同様の効果を発揮することができる。
【００４０】
なお、ここに示すマスクＭ、Ｍ’には、上下３段にわたってダーツ（プリーツ）６が形成されている。したがって、マスクＭ、Ｍ’の着用時において、マスク本体１がより立体的なものとなり、着用者Ｗの少なくとも鼻柱ｗ１から両頬ｗ２、ｗ２、頬骨ｗ３に至る部位をすっぽりと被覆することができ、さらに、着用者Ｗの下顎ｗ４をすっぽりと被覆することができるので、上記以上のより一層の効果を発揮することができる。
【００４１】
ここでは、マスク本体１が布、布帛あるいはガーゼからなる場合を例に挙げて説明したが、通気性が高い素材を用いれば、夏場の使用に特に有利である。また、本考案は、マスク本体１が不織布や炭素繊維、キルトなど他の素材からなる場合にも適用することができる。なお、不織布でマスクが作製されている場合には、ねじれ３が形成されている部分の形を整えたり補強するために、その部分に不織布からなる別の生地を重ね合せておくのが良い。
【００４２】
その他図面において、符号７はマスク本体１の左右両端部に設けた耳かけ紐である。ゴム紐や所定の幅を有する紐などを用いることができる。
【符号の説明】
【００４３】
Ｍ、Ｍ’…マスク、１…マスク本体、１ａ…２枚重ねの生地のうち内側に位置する生地、１ｂ…２枚重ねの生地のうち外側に位置する生地、１ｃ…２枚重ねの生地、１ｄ…へこみ、２ａ…帯状の折り曲げ部、２ｂ…外側に位置する生地の上縁部、３…ねじれ、４…上側の定着部、５…下側の定着部、６…ダーツ（プリーツ）、７…耳かけ紐、Ｗ…着用者、ｗ１…鼻柱、ｗ２…頬、ｗ３…頬骨、ｗ４…下顎、ｗ５…顔面、ｗ６…顎、ｗ７…顎骨。
【図１】
0003227579.tif 000003
【図２】
0003227579.tif 000004
【図３】
0003227579.tif 000005
【図４】
0003227579.tif 000006
【図５】
0003227579.tif 000007
【図６】
0003227579.tif 000008
【図７】
0003227579.tif 000009
【手続補正書】
【提出日】令和2年5月28日(2020.5.28)
【手続補正１】
【補正対象書類名】明細書
【補正対象項目名】００２４
【補正方法】変更
【補正の内容】
【００２４】
マスク本体１が布、布帛あるいはガーゼからなる場合について説明すると、本考案によれば、少なくともマスク本体１の上縁部に特別の工夫・改良が施されている。すなわち、図１に示すように、マスク本体１上縁部が符号２ａで示すように一定幅内側に折り曲げられ、その左右両側のいずれか一方が外側に折り返され、もう一方が内側に折り返されており、マスク本体１上縁部の中央部分に、ねじれ３が形成されている。なお、マスク本体１上縁部の中央部分にねじれ３が形成されている点が、本考案の要旨の１つと言うべきところである。
【手続補正２】
【補正対象書類名】明細書
【補正対象項目名】００３２
【補正方法】変更
【補正の内容】
【００３２】
また、図４に例示するマスクＭ’にあっては、マスク本体１の上縁部が少なくとも２枚重ねとなっており、上に例示した場合にあっては、帯状の折り曲げ部２ａとマスク本体１の外側に位置する生地の上縁部を内側に折り重ねることで形成されるマスク本体１の外側の生地の上縁部２ｂ部分では、内外２枚ずつ、合計４枚の生地が重なり合っており、しかも、マスク本体１上縁部の中央部分にねじれ３が形成されているので、このマスクＭ’を着用した場合において、マスク本体１が左右両側方に引っ張られたとき、マスク本体１上縁部付近であって前記ねじれ３部分のやや下方における左右両側部分が引っ張られるので、図５において鎖線と図面符号１ｄで示すように、前記ねじれ３部分の両側方が引っ張られてその付近がへこみ、着用者Ｗの鼻柱ｗ１から頬ｗ２にかけての部位に密着するとともに、前記ねじれ３が立ち上げられて着用者Ｗの鼻柱ｗ１付近をすっぽりと覆うことになる。
その結果、マスクＭ’着用時において、当該部分からのウイルス、細菌、花粉、粉塵の吸い込みが抑制され、あるいは、保菌者が咳と共にウイルスや細菌を飛散させることを抑制することができる。
【手続補正３】
【補正対象書類名】明細書
【補正対象項目名】００３４
【補正方法】変更
【補正の内容】
【００３４】
図１においては、マスク本体１上縁部が符号２ａで示すように一定幅内側に折り曲げられ、内外２枚の生地が重なり合う部分の右側端部がマスク本体１の内側に折り曲げられてマスク本体１の内面側端部に、ミシン糸により定着され、また、内外２枚の生地が重なり合う部分の左側端部がマスク本体１の外側に折り曲げられてマスク本体１の外面側端部に、ミシン糸により定着されている場合を例示し、また、図４においては、内外２枚ずつ、合計４枚の生地が重なり合う部分の右側端部が４枚重ねの状態でマスク本体１の外側に折り曲げられてマスク本体１の外面側端部に定着され、内外２枚ずつ、合計４枚の生地が重なり合う部分の左側端部が４枚重ねの状態でマスク本体１の内側に折り曲げられてマスク本体１の内面側端部に定着されている場合を例示したが、これらと逆の定着状態としても良い。
【手続補正４】
【補正対象書類名】明細書
【補正対象項目名】００３５
【補正方法】変更
【補正の内容】
【００３５】
すなわち、図示は省略するが、図１に示すマスクＭにあっては、内外２枚の生地が重なり合う部分の右側端部がマスク本体１の外側に折り曲げられてマスク本体１の外面側端部に、また、内外２枚の生地が重なり合う部分の左側端部がマスク本体１の内側に折り曲げられてマスク本体１の内面側端部に定着されても良い。
また、図４に示すマスクＭ’にあっては、内外２枚ずつ、合計４枚の生地が重なり合う部分の右側端部が４枚重ねの状態でマスク本体１の内側に折り曲げられてマスク本体１の内面側端部に定着され、内外２枚ずつ、合計４枚の生地が重なり合う部分の左側端部が４枚重ねの状態でマスク本体１の外側に折り曲げられてマスク本体１の外面側端部に定着されても良い。
これらの場合においても、先程説明した場合の右側と左側の折り曲げの向きが異なるだけで、上記と同様の効果を発揮することができる。
【手続補正５】
【補正対象書類名】明細書
【補正対象項目名】００３６
【補正方法】変更
【補正の内容】
【００３６】
ここに例示するマスクＭ、Ｍ’にあっては、マスク本体１の上端部のみならず、その下端部においても上端部において説明した場合と同様の特別の工夫・改良が施されている。すなわち、図１に示すマスクＭにあっては、マスク本体１下縁部が一定幅内側に折り曲げられ、内外２枚の生地が重なり合う部分の右側端部がマスク本体１の外側に折り曲げられてマスク本体１の外面側端部に、ミシン糸により定着され、また、内外２枚の生地が重なり合う部分の左側端部がマスク本体１の内側に折り曲げられてマスク本体１の内面側端部に、ミシン糸により定着されており、マスク本体１下縁部の中央部分にねじれ３が形成されている。したがって、このマスクＭを着用した場合において、マスク本体１が左右両側に引っ張られたとき、図２において鎖線と図面符号１ｄで示すように、マスク本体１の下縁部付近であって、前記ねじれ３部分のやや上方における左右両側部分が引っ張られてその部分がへこみ、着用者Ｗの顎ｗ６の左右両側のくぼみに密着するとともに、前記ねじれ３部分が引き下げられ、着用者Ｗの下顎ｗ４付近をすっぽりと覆うことになる。その結果、当該部分からのウイルス、細菌、花粉、粉塵の吸い込みが抑制され、あるいは、保菌者が咳と共にウイルスや細菌を飛散させることを抑制することができる。
なお、マスク本体１下縁部の中央部分にねじれ３が形成されている点も、本考案の要旨の１つというべきところである。
【手続補正６】
【補正対象書類名】明細書
【補正対象項目名】００３７
【補正方法】変更
【補正の内容】
【００３７】
また、図４に示すマスクＭ’にあっては、マスク本体１の下縁部が少なくとも２枚重ねとなっており、帯状の折り曲げ部とマスク本体１の外側に位置する生地の下縁部を内側に折り重ねることで形成されるマスク本体１の外側の生地の下縁部では、内外２枚ずつ、合計４枚の生地が重なり合っており、しかも、マスク本体１下縁部の中央部分にねじれ３が形成されている。したがって、このマスクＭ’を着用した場合において、マスク本体１が左右両側に引っ張られたとき、図５において鎖線と図面符号１ｄで示すように、前記ねじれ３部分のやや上方における左右両側部分が引っ張られてその部分がへこみ、着用者Ｗの顎ｗ６の左右両側のくぼみに密着するとともに、前記ねじれ３部分が引き下げられ、着用者Ｗの下顎ｗ４付近をすっぽりと覆うことになる。その結果、当該部分からのウイルス、細菌、花粉、粉塵の吸い込みが抑制され、あるいは、保菌者が咳と共にウイルスや細菌を飛散させることを抑制することができる。
【手続補正７】
【補正対象書類名】明細書
【補正対象項目名】００３８
【補正方法】変更
【補正の内容】
【００３８】
さらに、図１に示すマスクＭ、図４に示すマスクＭ’ともマスク本体１の下縁部において、上縁部の場合の定着部４，４と全く同様に定着部５、５が形成されている。これら左右２つの定着部５、５は、ミシン糸でマスク本体１に逢着することによって形成されており、両定着部５、５の間隔としては、着用者Ｗが本マスクＭ、Ｍ’を着用した場合の着用者Ｗの顎ｗ６両側の顎骨ｗ７、ｗ７付近に両定着部５、５が来るような間隔とすることが好ましい。着用者Ｗが本マスクＭあるいはＭ’を着用した場合において、マスク本体１下縁部の左右両側端部より少し内側のところに位置する左右２つの定着部５，５が着用者Ｗの顎ｗ６両側の顎骨ｗ７、ｗ７付近に対面・当接し、その部位に密着するので、当該部分からのウイルス、細菌、花粉、粉塵の吸い込みがさらに抑制され、あるいは、保菌者が咳と共にウイルスや細菌を飛散させることをさらに抑制することができる。
【手続補正書】
【提出日】令和2年6月11日(2020.6.11)
【手続補正１】
【補正対象書類名】明細書
【補正対象項目名】００３２
【補正方法】変更
【補正の内容】
【００３２】
また、図４に例示するマスクＭ’にあっては、マスク本体１の上縁部が少なくとも２枚重ねとなっており、上に例示した場合にあっては、帯状の折り曲げ部２ａとマスク本体１の外側に位置する生地の上縁部を内側に折り重ねることで形成されるマスク本体１の外側の生地の上縁部２ｂ部分では、内外２枚ずつ、合計４枚の生地が重なり合っており、しかも、マスク本体１上縁部の中央部分にねじれ３が形成されているので、このマスクＭ’を着用した場合において、マスク本体１が左右両側方に引っ張られたとき、図５において鎖線と図面符号１ｄで示すように、マスク本体１上縁部付近であって前記ねじれ３部分のやや下方における左右両側部分が引っ張られてその付近がへこみ、着用者Ｗの鼻柱ｗ１から頬ｗ２にかけての部位に密着するとともに、前記ねじれ３が立ち上げられて着用者Ｗの鼻柱ｗ１付近をすっぽりと覆うことになる。
その結果、マスクＭ’着用時において、当該部分からのウイルス、細菌、花粉、粉塵の吸い込みが抑制され、あるいは、保菌者が咳と共にウイルスや細菌を飛散させることを抑制することができる。